(57)【特許請求の範囲】
【請求項１】
複数の無線端末を含む無線通信ネットワークと、
基地局と、
前記基地局と通信可能に構成される第３の無線端末とを有する無線通信システムにおいて、
前記無線通信ネットワークに含まれる前記複数の無線端末のうち少なくとも一の無線端末は前記基地局に接続不能であり、他の無線端末は前記基地局に接続可能であり、前記複数の端末と前記第３の無線端末とがピアツーピア通信を確立できない場合に、
前記無線通信ネットワークにおける前記他の無線端末の中から選択された第１の無線端末が、
前記基地局に接続可能な無線端末のリストを、前記基地局に対して、要求し、
前記基地局は、
前記要求に応じて、前記基地局に接続可能な無線端末のリストを、前記第１の無線端末に送信し、
前記第１の無線端末は、
前記基地局に接続可能な無線端末のリストを受信し、
受信した前記無線端末のリストと、前記無線通信ネットワークに存在する無線端末のリストとを比較し、
前記比較の結果に基づき、前記第３の無線端末に対して、前記基地局を介したピアツーピア通信を確立するための情報を、前記基地局に送信する、
無線通信システム。
【請求項２】
前記第３の無線端末は、
前記基地局に接続可能な無線端末のリストの中に存在し、かつ、
前記無線通信ネットワークに存在する無線端末のリストに存在しない、
請求項１に記載の無線通信システム。
【請求項３】
前記第１の無線端末の選択は、
前記無線通信ネットワークに含まれる前記複数の無線端末それぞれと、前記基地局との間の無線リンク品質に基づき、実行される、
請求項１また２に記載の無線通信システム。
【請求項４】
前記無線リンク品質に関する情報は、
前記無線通信ネットワークに含まれる前記複数の無線端末の間で、交換される、
請求項１乃至３のいずれか１項に記載の無線通信システム。
【請求項５】
前記無線リンク品質に関する情報は、所定の周期で、交換される、
請求項４に記載の無線通信システム。
【請求項６】
前記第１の無線端末は、
前記無線通信ネットワークに含まれる他の無線端末とピアツーピア通信を行う前に、
前記ピアツーピア通信を始める旨と、前記無線通信ネットワークを識別する識別子とを、
前記基地局に送信する、
請求項１乃至５のいずれか１項に記載の無線通信システム。
【請求項７】
前記基地局は、
前記ピアツーピア通信を始める旨と、前記識別子とを受信すると、
前記第１の無線端末に、無線リソースを割当てる、
請求項６に記載の無線通信システム。
【請求項８】
複数の無線端末を含む無線通信ネットワークと、
基地局と、
前記基地局と通信可能に構成される第３の無線端末とを有する無線通信システムの通信方法であって、
前記無線通信ネットワークに含まれる前記複数の無線端末のうち少なくとも一の無線端末は前記基地局に接続不能であり、他の無線端末は前記基地局に接続可能であり、前記複数の端末と前記第３の無線端末とがピアツーピア通信を確立できない場合に、
前記無線通信ネットワークにおける前記他の無線端末の中から選択された第１の無線端末が、
前記基地局に接続可能な無線端末のリストを、前記基地局に対して、要求し、
前記基地局は、
前記要求に応じて、前記基地局に接続可能な無線端末のリストを、前記第１の無線端末に送信し、
前記第１の無線端末は、
前記基地局に接続可能な無線端末のリストを受信し、
受信した前記無線端末のリストと、前記無線通信ネットワークに存在する無線端末のリストとを比較し、
前記比較の結果に基づき、前記第３の無線端末に対して、前記基地局を介したピアツーピア通信を確立するための情報を、前記基地局に送信する、
無線通信システムの通信方法。
【請求項９】
複数の無線端末を含む無線通信ネットワークにおける無線端末において、
基地局と通信可能に構成される無線通信モジュールであって、前記基地局に接続可能な無線端末のリストを前記基地局に対して要求し、前記要求に応じて送信される、前記基地局に接続可能な無線端末のリストを受信する前記無線通信モジュールと、
受信した前記無線端末のリストと、前記無線通信ネットワークに存在する無線端末のリストとを比較するプロセッサとを有し、
前記無線通信モジュールは、
前記比較の結果に基づき、前記基地局に接続可能な無線端末に対して、前記基地局を介したピアツーピア通信を確立するための情報を、前記基地局に送信する、
無線端末。
【請求項１０】
複数の無線端末を含む無線通信ネットワークにおける無線端末の通信方法をコンピュータに実行させるプログラムであって、
基地局に接続可能な無線端末のリストを前記基地局に対して要求し、
前記要求に応じて送信される、前記基地局に接続可能な無線端末のリストを受信し、
受信した前記無線端末のリストと、前記無線通信ネットワークに存在する無線端末のリストとを比較し、
前記比較の結果に基づき、前記基地局に接続可能な無線端末に対して、前記基地局を介したピアツーピア通信を確立するための情報を、前記基地局に送信する、
ことを実行するためのプログラム。
【発明の詳細な説明】
【技術分野】
【０００１】
本開示は、無線通信システム、通信方法、無線端末、プログラムに関する。
【背景技術】
【０００２】
特許文献１には、固定的なネットワークインフラが存在しない場合に、複数の無線端末同士が中継することによって通信を実現するアドホック通信ネットワークが開示されている。
【０００３】
また、特許文献２には、複数のアドホック無線ノードによってグループを形成するアドホック無線ネットワークシステムが開示されている。アドホック無線ノードの一つが、代理中継器として動作する。代理中継器は、其々のアドホック無線ノードから、スマートメータの検針情報を受信し、受信した検針情報を上位中継器に送信する。上位中継器は、受信した検針情報を、検針データ収集サーバに中継する。
【先行技術文献】
【特許文献】
【０００４】
【特許文献１】特開２００８−２４４７９２号公報
【特許文献２】特開２０１３−１８７６１５号公報
【発明の概要】
【発明が解決しようとする課題】
【０００５】
しかし、特許文献１及び２の技術において、無線端末によって形成するアドホック通信ネットワークの範囲外の端末との間で、通信することができない。
【０００６】
特許文献２では、アドホック無線ノードの一つが、代理中継器として動作する。しかし、代理中継器は、単に、検針データ収集サーバに対して、受信した検針情報を中継するのみである。
【０００７】
例示的な実施形態の目的は、端末間通信が可能なネットワークに含まれる無線端末と、当該ネットワークから離れた無線端末との間で通信が可能となる仕組みを提供することにある。
【課題を解決するための手段】
【０００８】
例示的な実施形態の無線通信システムは、複数の無線端末が含む無線通信ネットワークと、基地局と、前記基地局と通信可能に構成される第３の無線端末とを有する。前記無線通信ネットワークにおける前記複数の無線端末の中から選択された第１の無線端末が、前記基地局に接続可能な無線端末のリストを、前記基地局に対して、要求する。前記基地局は、前記要求に応じて、前記基地局に接続可能な無線端末のリストを、前記第１の無線端末に送信する。前記第１の無線端末は、前記基地局に接続可能な無線端末のリストを受信し、受信した前記無線端末のリストと、前記無線通信ネットワークに存在する無線端末のリストとを比較し、前記比較の結果に基づき、前記第３の無線端末に対してピアツーピア通信を確立するための情報を、前記基地局に送信する。
【０００９】
例示的な実施形態の通信方法は、複数の無線端末を含む無線通信ネットワークと、基地局と、前記基地局と通信可能に構成される第３の無線端末とを有する無線通信システムの通信方法である。前記無線通信ネットワークにおける前記複数の無線端末の中から選択された第１の無線端末が、前記基地局に接続可能な無線端末のリストを、前記基地局に対して、要求する。前記基地局は、前記要求に応じて、前記基地局に接続可能な無線端末のリストを、前記第１の無線端末に送信する。前記第１の無線端末は、前記基地局に接続可能な無線端末のリストを受信する。受信した前記無線端末のリストと、前記無線通信ネットワークに存在する無線端末のリストとを比較する。前記比較の結果に基づき、前記第３の無線端末に対してピアツーピア通信を確立するための情報を、前記基地局に送信する。
【００１０】
例示的な実施形態の無線端末は、複数の無線端末を含む無線通信ネットワークにおける無線端末である。前記無線端末は、基地局と通信可能に構成される無線通信モジュールであって、前記基地局に接続可能な無線端末のリストを前記基地局に対して要求し、前記要求に応じて送信される、前記基地局に接続可能な無線端末のリストを受信する前記無線通信モジュールを有する。また、無線端末は、受信した前記無線端末のリストと、前記無線通信ネットワークに存在する無線端末のリストとを比較するプロセッサを有する。前記無線通信モジュールは、前記比較の結果に基づき、前記基地局に接続可能な無線端末に対してピアツーピア通信を確立するための情報を、前記基地局に送信する。
【００１１】
例示的な実施形態のプログラムは、複数の無線端末を含む無線通信ネットワークにおける無線端末の通信方法をコンピュータに実行させるプログラムである。前記プログラムは、基地局に接続可能な無線端末のリストを前記基地局に対して要求し、前記要求に応じて送信される、前記基地局に接続可能な無線端末のリストを受信し、受信した前記無線端末のリストと、前記無線通信ネットワークに存在する無線端末のリストとを比較し、前記比較の結果に基づき、前記基地局に接続可能な無線端末に対してピアツーピア通信を確立するための情報を、前記基地局に送信する、ことをコンピュータに実行させる。
【発明の効果】
【００１２】
例示的な実施形態によれば、端末間通信が可能なネットワークに含まれる無線端末と、当該ネットワークから離れた無線端末との間で通信が可能となる。
【図面の簡単な説明】
【００１３】
【図１】例示的な実施形態に係る無線通信システムの概要を示す。
【図２】第１の例示的な実施形態に係る無線通信システムの一例を示す。
【図３】第１の例示的な実施形態に係る無線端末を示す。
【図４】第１の例示的な実施形態に係る基地局を示す。
【図５】第１の例示的な実施形態に係る無線通信システムの動作を示す。
【図６】第２の例示的な実施形態に係る無線端末を示す。
【発明を実施するための形態】
【００１４】
例示的な実施形態について、図面を参照して詳細に説明する。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。各図面において、同一又は対応する要素には同一の符号が付されており、説明の明確化のため、必要に応じて重複説明は省略される。
【００１５】
図１は、例示的な実施形態に係る無線通信システムの概要を示す。
【００１６】
図１において、本実施形態の無線通信システムは、複数の無線端末１１〜１７と、基地局２１、基地局２１と通信可能な無線端末２２を含む。複数の無線端末１１〜１７は、無線通信ネットワーク１００を形成する。無線端末１１〜１７は、相互に端末間通信を行うことができる。基地局２１は、セル２００を形成し、セル２００において、無線端末と通信することができる。この例では、セル２００に、無線端末１６と無線端末２２とが、含まれる。
【００１７】
＜第１の例示的な実施形態＞
図２は、第１の例示的な実施形態に係る無線通信システムの一例を示す。
【００１８】
図２において、説明を容易にするため、無線通信ネットワーク１００は、２つの無線端末（第１の無線端末３０と第２の無線端末４０）によって形成される。第２の無線端末４０と第１の無線端末３０は相互に端末間通信を行うことができる。
【００１９】
第１の無線端末３０は、基地局５０と通信可能に構成される。また、基地局５０は第３の無線端末６０と通信可能に構成される。
【００２０】
図３は、第１の例示的な実施形態に係る無線端末を示す。
【００２１】
図３の無線端末３００は、第１の通信部３１０と、第２の通信部３２０と、記憶装置３３０と、プロセッサ３４０とを有する。
【００２２】
第１の通信部３１０は、無線端末３０１との間で、端末間通信を実行可能に構成される。また、第１の通信部３１０は、基地局５０との無線リンクにおける無線リンク品質を、無線端末３０１との間で交換することができる。
【００２３】
第２の通信部３２０は、基地局５０と通信可能に構成される。第２の通信部３２０は、端末間通信を開始する前に、端末間通信を始める旨と、無線端末３００と無線端末３０１とが含まれる無線通信ネットワークを識別する識別子（グループ識別子ともいう）を通知することができる。第２の通信部３２０は、基地局５０から、無線リソースを割当てるための指示を受けることができる。第２の通信部３２０は、基地局５０に対して、基地局５０配下の無線端末のリストを要求する要求メッセージを送信することができる。第２の通信部３２０は、該要求メッセージに応じて基地局５０が送信する、基地局５０配下の無線端末のリストを受信することができる。第２の通信部３２０は、基地局５０に対して、基地局５０配下の無線端末とポイントツーポイント通信を試みることができる。また、第２の通信部３２０は、基地局５０を介して、基地局５０配下の無線端末とポイントツーポイント通信を確立することができる。
【００２４】
記憶装置３３０は、基地局５０と無線端末３００との間の無線リンクに係る無線リンク品質を記憶する事ができる。記憶装置３３０は、基地局５０から第２の通信部３２０が受信する基地局５０配下の無線端末のリストを記憶することができる。記憶装置３３０は、無線通信ネットワークを識別する識別子（グループ識別子）を記憶することができる。記憶装置３３０は、グループ識別子によって識別される無線通信ネットワークに含まれる無線端末の情報（例えば、無線端末を識別する識別情報）を記憶することができる。記憶装置３３０は、無線端末３０１や基地局５０から受信するユーザデータや制御データを記憶することができる。
【００２５】
プロセッサ３４０は、第１の通信部３１０、第２の通信部３２０及び記憶装置３３０を制御する。プロセッサ３４０は、基地局５０と無線端末３００との間の無線リンクに係る無線リンク品質を測定することができる。プロセッサ３４０は、無線通信ネットワーク内の他の無線端末（例えば、無線端末３０１）との間で、測定した無線リンク品質の情報を交換することができる。プロセッサ３４０は、交換した無線リンク品質の情報に基づき、基地局５０と通信するための代表端末を決定することができる。プロセッサ３４０は、基地局５０配下の無線端末のリストと、無線通信ネットワークに含まれる無線端末のリストとを比較することができる。
【００２６】
図４は、第１の例示的な実施形態に係る基地局を示す。
【００２７】
図４の基地局５００は、第１の通信部５１０と、第２の通信部５２０と、記憶装置５３０と、プロセッサ５４０とを含む。
【００２８】
第１の通信部５１０は、無線通信ネットワーク１００にて端末間通信を行う無線端末３００と通信可能に構成される。ここで、無線端末３００は、基地局５００のセル２００のカバレッジエリアに含まれる。第１の通信部５１０は、無線端末３００の第２の通信部３２０との間で各種情報をやり取りする。各種情報とは、例えば、無線通信ネットワークを識別する識別子（グループ識別子）、無線リソースを割当てるための指示、基地局５００配下の無線端末のリストを要求する要求メッセージ、基地局５００配下の無線端末のリスト、ポイントツーポイント通信の確立に関する情報、その他ユーザデータまたは制御データである。
【００２９】
第２の通信部５２０は、セル２００に含まれる（在圏する）無線端末と通信可能に構成される。この例では、セル２００のカバレッジエリアに、無線端末３００と無線端末３０２が含まれる。
【００３０】
記憶装置５３０は、無線端末３００が属する無線通信ネットワーク１００を識別する識別子（グループ識別子）を記憶することができる。記憶装置５３０は、無線端末３０２や無線端末３００から受信するユーザデータや制御データを記憶することができる。
【００３１】
プロセッサ５４０は、第１の通信部５１０、第２の通信部５２０、記憶装置５３０を制御する。プロセッサ５４０は、無線端末３００に対して無線リソースを割当てる。プロセッサ５４０は、基地局５００配下の無線端末のリストを要求する要求メッセージを受信すると、基地局５００配下の無線端末のリストを生成する。
【００３２】
図５は、第１の例示的な実施形態に係る無線通信システムの動作（通信方法）を示す。
【００３３】
図５のＳ１において、第１の無線端末３０が、基地局５０に、端末間通信を始める旨およびグループ識別子（ＩＤ：Identification）を通知する。ここで、グループ識別子とは、第１の無線端末３０と第２の無線端末４０とが含まれる無線通信ネットワークを識別する識別子である。
【００３４】
Ｓ２において、基地局５０が、第１の無線端末３０に対して、通信リソースの割当を行う。例えば、ＬＴＥ（Long Term Evolution）では、周波数領域と時間領域で特定されるリソース（リソースブロックともいう）が、第１の無線端末３０に対して割り当てられる。
【００３５】
Ｓ３において、割当てられた通信リソースに基づき、第１の無線端末３０と第２の無線端末４０との間で無線通信ネットワーク（メッシュネットワークともいう）が確立され、第１の無線端末３０と第２の無線端末４０との間で、端末間通信が開始される。
【００３６】
Ｓ４において、メッシュネットワークに含まれる複数の無線端末が保持する無線リンク品質が更新される。
【００３７】
例えば、メッシュネットワークに含まれる少なくとも一つの無線端末は、基地局５０から所定の電波を使って送信される無線信号を受信する。受信した無線端末は、この無線信号を測定する。受信した無線端末は、測定結果を、基地局５０と無線端末間の無線リンクの品質を示す無線リンク品質として保持する。この無線リンク品質は、メッシュネットワークに含まれる他の少なくとも一つの無線端末に送信される。
【００３８】
この無線リンク品質を受信した無線端末は、送信元の無線端末の情報と、受信した無線リンク品質を対応づけて保持（記憶）する。受信した無線端末が、送信元の無線端末に対応する無線リンク品質を既に保持している場合、保持していた無線リンク品質に代えて、受信した無線リンク品質を新たに保持する。これによって、無線端末が保持する無線リンク品質が更新される。
【００３９】
メッシュネットワークに含まれる無線端末は、メッシュネットワークに含まれる無線端末のリストを保持することができる。また、無線端末は、無線端末のリストに含まれる無線端末と無線リンク品質とを対応づけて、記憶する。
【００４０】
ここで、無線リンク品質とは、基地局５０から送信される電波の強度または電波の品質であってもよい。例えば、無線リンク品質は、基地局５０から送信される信号の受信電力、受信品質、パスロス、信号の信号電力対干渉電力比（ＳＩＲ：Signal to Interference Radio）、チャネル状態情報、チャネル品質指標のうち少なくとも１つであってもよい。
【００４１】
また、無線リンク品質とは、基地局５０から送信されるパイロット信号、リファレンス信号、同期信号、ビーコン等に関するものでもよい。
【００４２】
また、無線リンク品質は、他の端末から無線リンク品質を受信した場合に、更新されてもよい。また、所定の周期に応じて、無線リンク品質の更新が行われてもよい。
【００４３】
Ｓ５において、無線リンク品質が最も良い無線端末が、メッシュネットワークにおける代表端末として選ばれる。図５の例では、第１の無線端末３０が代表端末として選ばれる。
【００４４】
Ｓ６において、第１の無線端末３０が、基地局５０に対して、基地局５０のグループメンバリストを要求する。グループメンバリストとは、基地局５０と通信可能な無線端末のリストである。
【００４５】
Ｓ７において、基地局５０は、第１の無線端末３０に対して、グループメンバリストを送信する。
【００４６】
Ｓ８において、第１の無線端末３０は、受信したグループメンバリストの中に、第１の無線端末３０が含まれるメッシュネットワークに存在しない端末がいるかどうかを確認する。ここで、第１の無線端末３０は、受信した基地局５０配下の無線端末のリストと、メッシュネットワークに含まれる無線端末のリストとを比較することができる。
【００４７】
Ｓ８において、メッシュネットワークに存在しない無線端末として、第３の無線端末６０が確認されたものと仮定する。
【００４８】
Ｓ９及びＳ１０において、第１の無線端末３０は、基地局５０を介して、当該確認された無線端末にポイントツーポイント通信を試みる。例えば、Ｓ９において、第１の無線端末３０は、確立要求のための要求信号（情報）を基地局５０に送信する。Ｓ１０において、基地局５０は、当該要求信号（情報）を、第３の無線端末６０に送信することができる。
【００４９】
Ｓ１１において、第１の無線端末３０と第３の無線端末６０との間で、ポイントツーポイント通信のための通信路が確立される。
【００５０】
Ｓ１２において、メッシュネットワーク内で端末間通信が行われる。メッシュネットワーク内の少なくとも一つの端末が、第３の無線端末６０に対するデータ（情報）の送信要求を、第１の無線端末３０に送信する。
【００５１】
Ｓ１３において、第１の無線端末３０が、第３の無線端末６０に対するデータ（情報）を、確立した通信路を用いて、第３の無線端末６０に送信する。
【００５２】
Ｓ１４において、第３の無線端末６０が、メッシュネットワーク内の少なくとも一つの無線端末に対して、送信したい情報を送信する。
【００５３】
Ｓ１５において、第１の無線端末３０は、受信した情報を、メッシュネットワーク内の宛先となった無線端末に対して、送信する。
【００５４】
上述したＳ１からＳ３までは、必ずしも必須のオペレーションではない。例えば、第１の無線端末３０と第２の無線端末４０とが既にメッシュネットワークを形成している場合、Ｓ１からＳ３は省略できる。
【００５５】
上述したＳ６は、省略する事が可能である。この場合、基地局５０は、第１の無線端末３０に対して、所定の周期で（定期的に）グループメンバリストを送信してもよい。
【００５６】
上述したＳ６のグループメンバリストの要求メッセージには、メッシュネットワークに含まれる無線端末のリストを含めることができる。この場合、基地局５０は、基地局５０の配下の無線端末と、要求メッセージに含まれる無線端末のリストとを比較することができる。比較した結果、少なくとも一つの無線端末が無線端末のリストに存在しない場合、この存在しない無線端末に関する情報が、第１の無線端末３０に対して、送信されてもよい。この結果、Ｓ７におけるグループメンバリストの送信に係る情報量を削減できる。また、第１の無線端末３０のオペレーションＳ８に係る比較処理を省略できる。
【００５７】
上記の例では、第１の無線端末３０が代表端末（グループリーダー）としての役割を果たした。代表端末の役割は、状況に応じて、メッシュネットワークに含まれる他の無線端末に、転換（変更）され得る。例えば、あるＴ１時において、代表端末が第１の無線端末３０であり、次のＴ２時において、代表端末が第２の無線端末４０に変更されることができる。この場合、例えば、所定の周期で、メッシュネットワークに含まれるそれぞれの無線端末が無線リンク品質をやり取りし、其々の無線端末が保持する無線リンク品質が更新される。この結果、もっとも品質の良い無線端末が、代表端末として決定され得る。
【００５８】
例えば、其々の無線端末が、無線リンク品質のリストを保持することができる。この場合、無線リンク品質のリストにおいて最も品質が良い無線端末は、自動的に、代表端末としての役割を果たすための動作を開始する。その他の無線端末は、保持する無線リンク品質のリストにおいて、自端末が最も品質が良い端末ではないことを確認すると、通常の無線端末としての動作を開始する。
【００５９】
上述のとおり、本実施形態によれば、端末間通信の範囲を柔軟に拡張することが可能となる。例えば、ＬＴＥにおける無線端末間の通信は、通信可能な最大距離が短い（例えば、５００メートル程度）。このため、無線端末がこの最大距離を越えて移動すると、無線端末間での通信ができなくなる。上述の例示的な実施形態のＬＴＥに適用した場合、例えば、ＬＴＥ無線端末が基地局（eNB：evolved Node B)を介して、メッシュネットワークの外の他のＬＴＥ無線端末と通信を行うことが可能となる。
【００６０】
＜第２の例示的な実施形態＞
図６は、第２の例示的な実施形態に係る無線端末を示す。
【００６１】
図６において、無線端末６００は、無線端末６０１と基地局７００と通信可能に構成される。無線端末６００と無線端末６０１とは、端末間通信が可能な無線通信ネットワークに含まれる。
【００６２】
無線端末６００は、無線通信モジュール６１０と、プロセッサ６２０を含む。
【００６３】
無線通信モジュール６１０は、基地局７００と通信可能に構成される。無線通信モジュール６１０は、基地局７００に接続可能な無線端末のリストを基地局７００に対して要求する。無線通信モジュール６１０は、この要求に応じて送信される、基地局７００に接続可能な無線端末のリストを受信する。
【００６４】
プロセッサ６２０は、受信した無線端末のリストと、無線通信ネットワークに存在する無線端末のリストとを比較する。
【００６５】
プロセッサ６２０の比較の結果に基づき、無線通信モジュール６１０は、基地局７００に接続可能な無線端末に対してピアツーピア通信を確立するための情報を、基地局７００に送信する。
【００６６】
上述のとおり、本実施形態によれば、端末間通信の範囲を柔軟に拡張することが可能となる。
＜その他の例示的な実施形態＞
上述の基地局は、マクロ、ピコ、フェムト等、特に限定されない。例えば、マクロ基地局の場合、広いネットワークが形成されうる。
【００６７】
上述の端末間通信は、ＬＴＥ  Ｄ２Ｄ（Ｄｅｖｉｃｅ  ｔｏ  Ｄｅｖｉｃｅ）、ＬＴＥ  Ｄｉｒｅｃｔ、ピアツーピア通信、またはポイントツーポイント通信であってもよい。
【００６８】
また、上述の例示的な実施形態における無線端末は、移動端末またはユーザ端末と呼ぶこともできる。また、無線端末は、システム、加入者ユニット、加入者局、移動局、ワイヤレス端末、モバイルデバイス、ノード、デバイス、リモート局、リモート端末、ワイヤレス通信デバイス、ワイヤレス通信デバイス、ワイヤレス通信装置またはユーザエージェントの機能性の一部または全部を含み得る。無線端末は、セルラー電話、コードレス電話、セッション開始プロトコル(SIP)電話、スマートフォン、ワイヤレスローカルループ(WLL)局、携帯情報端末(PDA: Personal Data Assistance)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。
【００６９】
また、上記の無線端末、無線通信システム、ハードウェア、ソフトウェア又はこれらの組み合わせにより実現することができる。また、上記の無線通信システムの通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００７０】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc − Read Only Memory）、ＣＤ−Ｒ（Compact Disc − Recordable）、ＣＤ−Ｒ／Ｗ（Compact Disc − Rewritable）、ＤＶＤ−ＲＯＭ（Digital Versatile Disc − ROM）、ＤＶＤ−Ｒ（Digital Versatile Disc − Recordable）、ＤＶＤ−Ｒ／Ｗ（Digital Versatile Disc − Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
【００７１】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７２】
１１〜１７、２２  無線端末
２１  基地局
３０  第１の無線端末
４０  第２の無線端末
５０  基地局
６０  第３の無線端末
１００  無線通信ネットワーク
２００  セル
３００、３０１、３０２  無線端末
３１０  第１の通信部
３２０  第２の通信部
３３０  記憶装置
３４０  プロセッサ
５００  基地局
５１０  第１の通信部
５２０  第２の通信部
５３０  記憶装置
５４０  プロセッサ
６００、６０１  無線端末
６１０  無線通信モジュール
６２０  プロセッサ
７００  基地局
【図１】
0006540265.tif 000002
【図２】
0006540265.tif 000003
【図３】
0006540265.tif 000004
【図４】
0006540265.tif 000005
【図５】
0006540265.tif 000006
【図６】
0006540265.tif 000007